(57)【特許請求の範囲】
【請求項１】
天面に吐出口を備えるキャップ本体と、ヒンジ部を介してキャップ本体に連結される上蓋とを備える吐出キャップであって、
前記吐出口から前記ヒンジ部側の天面周縁までの長さよりも、前記吐出口から前記ヒンジ部とは反対側の天面周縁までの長さが長くなるように、前記吐出口が前記天面において前記ヒンジ部側に片寄せて設けられており、
前記天面の前記吐出口を挟んだ前記ヒンジ部とは反対側の領域には、前記天面の表面積を増大させる湾曲凹部が設けられている吐出キャップ。
【請求項２】
天面に吐出口を備えるキャップ本体と、ヒンジ部を介してキャップ本体に連結される上蓋とを備える吐出キャップであって、
前記吐出口から前記ヒンジ部側の天面周縁までの長さよりも、前記吐出口から前記ヒンジ部とは反対側の天面周縁までの長さが長くなるように、前記吐出口が前記天面において前記ヒンジ部側に片寄せて設けられており、
前記天面の前記吐出口を挟んだ前記ヒンジ部とは反対側の領域には、前記天面の表面積を増大させる張り出し部が設けられている吐出キャップ。
【請求項３】
前記天面から突出する吐出筒の先端に前記吐出口が形成され、前記吐出筒が前記天面において前記ヒンジ部側に片寄せて設けられている請求項１又は２に記載の吐出キャップ。
【請求項４】
請求項１〜３のいずれか１項に記載の吐出キャップが容器本体の口首部に取着され、前記容器本体から前記吐出口を経て吐出される内容物の粘度が2000〜420000 mＰa・ｓである吐出容器。
【請求項５】
前記容器本体が可撓性容器であって、該可撓性容器を変形させて内容物を吐出させる請求項４記載の吐出容器。
【発明の詳細な説明】
【技術分野】
【０００１】
本発明は、天面に吐出口を備えるキャップ本体と、ヒンジ部を介してキャップ本体に連結される上蓋とを備える吐出キャップ、及び該吐出キャップを取着した吐出容器に関する。
【背景技術】
【０００２】
従来から、天面に吐出口を備えるキャップ本体と、キャップ本体にヒンジ部を介して連結される上蓋とを備える吐出キャップが知られている。このような吐出キャップでは、一般にキャップ本体の天面は円形となっており、吐出口は天面の中心部分に設けられている。
【０００３】
また、上蓋の裏面から突出する嵌入棒を、キャップ本体の吐出口に嵌入させることにより、吐出口を閉塞すると共に、上蓋を閉塞状態に係止する形式の吐出キャップでは、注出口及び嵌入棒をヒンジ部とは反対側に片寄せて設けることによって、上蓋の開閉回動動作を円滑に行えるようにした注出キャップ（ヒンジキャップ）も開示されている（例えば、特許文献１参照）。
【特許文献１】特開平９−２２６８０１号公報
【発明の開示】
【発明が解決しようとする課題】
【０００４】
一方、ヒンジキャップ形式の吐出キャップには、吐出口の開閉に嵌入棒を用いないものもあり、また吐出キャップが装着される容器本体に、例えば粘度が2000〜420000 mＰa・ｓ程度の比較的高粘度の内容物が収容されている場合には、容器本体を垂直に倒立させた状態ではなく、垂直方向から傾けた状態で吐出口から内容物を吐出させると、重力によって吐出口よりも下方に位置するヒンジ部とは反対側のキャップ本体の周囲に内容物が付着しやすくなる。付着した内容物がキャップ本体の天面を超えてキャップ本体の側面まで及ぶと、上蓋を回動させて開閉する操作を行いにくくなると共に、汚れた印象を与えて美観を損なうことになる。
【０００５】
本発明は、吐出口から吐出された内容物が、キャップ本体の天面を超えてキャップ本体の側面に付着するのを効果的に抑制できると共に、吐出口の周囲に吐出された内容物が付着しても、内容物を容易且つスムーズに拭き取ることのできる吐出キャップ、及び該吐出キャップを取着した吐出容器を提供することを目的とする。
【課題を解決するための手段】
【０００６】
本発明は、天面に吐出口を備えるキャップ本体と、ヒンジ部を介してキャップ本体に連結される上蓋とを備える吐出キャップであって、前記吐出口から前記ヒンジ部側の天面周縁までの長さよりも、前記吐出口から前記ヒンジ部とは反対側の天面周縁までの長さが長くなるように、前記吐出口が前記天面において前記ヒンジ部側に片寄せて設けられている吐出キャップを提供することにより、上記目的を達成したものである。
【０００７】
また、本発明は、上記吐出キャップが容器本体の口首部に取着され、前記容器本体から前記吐出口を経て吐出される内容物の粘度が2000〜420000 mＰa・ｓである吐出容器を提供することにより、上記目的を達成したものである。
【発明の効果】
【０００８】
本発明の吐出キャップ、又は該吐出キャップを取着した吐出容器によれば、吐出口から吐出された内容物が、キャップ本体の天面を超えてキャップ本体の側面に付着するのを効果的に抑制できると共に、吐出口の周囲に吐出された内容物が付着しても、内容物を容易且つスムーズに拭き取ることができる。
【発明を実施するための最良の形態】
【０００９】
本発明の好ましい第１実施形態に係る吐出キャップ１０は、図１に示すように、内容物として、例えば見かけの粘度が比較的高粘度の液体で、例えば粘度が2000mPa・s〜420000 mPa・sの液体であるマヨネーズ、ケチャップ、ピザソース、ソフトバター、クリーム、ソフトチョコレート等を収容した、軟質合成樹脂製の容器本体１１の口首部に螺合装着され、容器本体１１と共に吐出容器１２を構成するものである。また、本第１実施形態の吐出キャップ１０は、吐出容器１２の容器本体１１を把持し、例えば先端に吐出口１３が開口形成された吐出筒１４を下方に傾けて内容物を吐出した後に、再び吐出筒１４を上方に向けて吐出容器１２を立設した際に、図８（従来の吐出キャップ）に示すように、吐出口１３’から吐出された内容物２０’が、キャップ本体１７’の天面１５’を超えてキャップ本体１７’の側面１６’に付着した状態になるのを抑制すると共に、天面１５’に付着した内容物２０’を容易且つスムーズに拭き取ることがきるようにするために用いられるものである。
【００１０】
そして、本第１実施形態の吐出キャップ１０は、図２及び図３に示すように、天面１５に吐出口１３を備えるキャップ本体１７と、ヒンジ部１９を介してキャップ本体１７の上端周縁部分に連結される上蓋１８とを備えるキャップであって、吐出口１３からヒンジ部１９側の天面１５周縁までの長さＬ１よりも、吐出口１３からヒンジ部１９とは反対側の天面１５周縁までの長さＬ２が長くなるように、吐出口１３が天面１５においてヒンジ部１９側に片寄せて設けられている。
【００１１】
また、本第１実施形態では、吐出キャップ１０のキャップ本体１７の天面１５から突出する吐出筒１４の先端に吐出口１３が形成されており、吐出筒１４が天面１５においてヒンジ部１９側に片寄せて設けられている。
【００１２】
容器本体１１は、軟質合成樹脂として例えばＬＤＰＥ（低密度ポリエチレン）をブロー成形してなるものであり、可撓変形可能な可撓性容器となっている。そして、内部に内容物が充填収容された容器本体１１を把持して押圧することにより、可撓性容器としての容器本体１１を変形させて、吐出筒１４の吐出口１３から内容物を容易に吐出させることができるようになっている。
【００１３】
容器本体１１に収容される内容物は、従来の吐出キャップ１０’（図９参照）において吐出された内容物２０’の付着による不具合を生じやすい粘度として、例えば20℃で2000〜420000 mPa・sの粘度であるものが好ましく、さらに20℃で2000〜250000 mPa・sの粘度であるものが好ましい。また、実際の使用状態では、容器本体１１に収容された内容物の粘度は、10℃で4000〜320000 mPa・sであることが好ましい。即ち、容器本体１１に収容された内容物の粘度は温度によって変化するが、本発明の吐出キャップ１０は、内容物の粘度が4000〜320000 mPa・sの状態で吐出されるときに、上述の従来技術の課題を解消する機能をより効果的に発揮することになる。
【００１４】
容器本体１１の口首部に装着される吐出キャップ１０は、キャップ本体１７と上蓋１８とがヒンジ部１９を介して連結された状態で一体成形された合成樹脂成形品である。上蓋１８は、ヒンジ部１９を介してキャップ本体１７の上端周縁部分に回動可能に連結されると共に、例えば上蓋１８の下端内側周縁部に設けた係止部を、ヒンジ部１９の上端外側周縁部に設けた被係止部に着脱可能に係止させて、吐出筒１４が突出するキャップ本体１７の天面１５を開閉するようになっている。
【００１５】
キャップ本体１７の天面１５から上方に突出する吐出筒１４は、容器本体１１の内部と連通する中空の筒状部であって、その先端には、例えば内径が２．５〜１０ｍｍ程度の大きさの吐出口１３が開口形成されている。
【００１６】
ここで、本第１実施形態では、キャップ本体１７の天面１５におけるヒンジ部１９の中央を一端とする直径方向に沿った、吐出口１３（吐出筒１４）の中心からヒンジ部側１９の天面１５周縁までの長さをＬ１、吐出口１３（吐出筒１４）の中心からヒンジ部１９とは反対側の天面１５周縁までの長さをＬ２とした場合に、Ｌ１よりもＬ２の方が長くなっていることが必要である。また、図４（ａ）に示すように、上蓋１８の天面内壁１８ａに吐出筒１４の内周に嵌合可能なインナーリング（環状突起部）３０を設けた場合には、インナーリング３０を吐出筒１４に嵌めるために必要なＬ１の長さを確保する必要がある。尚、図４（ｂ）に示すように、上蓋１８の天面内壁１８ａに吐出筒１４の外周に嵌合可能なアウターリング（環状突起部）３１を設けたり、図４（ｃ）に示すように、吐出筒１４のヒンジ部１９側を切り欠き部３２として切り欠いたりすることにより、吐出筒１４の開口端部と上蓋１８の天面内壁１８ａに設けられた環状突起部３０，３１との嵌合を容易にすることが可能になる。
【００１７】
そして、本第１実施形態の吐出キャップ１０及び吐出容器１２によれば、吐出口１３から吐出された内容物が、キャップ本体１７の天面１５を超えてキャップ本体１５の側面１６に付着するのを効果的に抑制できると共に、吐出口１３の周囲に吐出された内容物が付着しても、内容物を容易且つスムーズに拭き取ることができる。すなわち、本第１実施形態によれば、吐出口１３からヒンジ部１９側の天面１５周縁までの長さＬ１よりも、吐出口１３からヒンジ部１９とは反対側の天面１５周縁までの長さＬ２が長くなるように、吐出口１３が天面１５においてヒンジ部１９側に片寄せて設けられている。したがって、上蓋１８を開放し容器本体１１を傾けて内容物を吐出させる場合には、通常、ヒンジ部１９を上側に、ヒンジ部１９と反対側を下側にした状態で吐出させるので、比較的高粘度の内容物が吐出口１３から下方に吐出された後に、吐出容器１２を立設状態に復帰させても、図５に示すように、内容物２０の天面１５への付着が、天面１５周縁までの長さＬ２が長くなった広い領域の範囲内に収まりやすくなり、これによって吐出された内容物２０がキャップ本体１５の側面１６まで及ぶのを効果的に回避することが可能になる。
【００１８】
また、吐出口１３が形成された吐出筒１４の周囲の天面１５に内容物２０が付着しても、天面１５周縁までの長さＬ２が長くなったヒンジ部１９とは反対側を広い領域の範囲内で内容物２０が付着することになるので、付着した内容物２０の拭き取りを容易に行うことが可能になる。
【００１９】
図６は、本発明の第２実施形態に係る吐出キャップ２１を示すものである。本第２実施形態の吐出キャップ２１では、上記第１実施形態のキャップ１０の構成に加えて、キャップ本体１７の上端周縁部分及び上蓋１８の下端周縁部分から外側に張り出して、ヒンジ台２２が設けられており、ヒンジ部１９は、これらのヒンジ台２２を介して、キャップ本体１７の天面１５周縁から離れた位置において、キャップ本体１７と上蓋１８とを連結している。本第２実施形態の吐出キャップ２１によっても、上記第１実施形態のキャップ１０と同様の作用効果が奏されると共に、ヒンジ部１９と吐出口１３との間に相当の長さが保持されるので、吐出口１３の開閉を上蓋１８の裏側の嵌入棒を用いて行う形式のヒンジキャップの場合でも、上蓋１８の開閉回動動作を円滑に行うことが可能になる。
【００２０】
図７は、本発明の第３実施形態に係る吐出キャップ２３を示すものである。本第３実施形態の吐出キャップ２３では、上記第１実施形態のキャップ１０の構成に加えて、キャップ本体１７の天面１５の吐出口１３を挟んだヒンジ部１９とは反対側の領域に、天面１５の表面積を増大させる湾曲凹部２４が設けられている。本第３実施形態の吐出キャップ２３によっても、上記第１実施形態のキャップ１０と同様の作用効果が奏されると共に、湾曲凹部２４によって拭き取りの容易さを保持したまま天面１５の表面積を増大させて、吐出された内容物２０がキャップ本体１７の天面１５を超えて側面１６に付着するのをさらに効果的に抑制することが可能になる。
【００２１】
図８は、本発明の第４実施形態に係る吐出キャップ２５を示すものである。本第４実施形態の吐出キャップ２５では、上記第１実施形態のキャップ１０の構成に加えて、キャップ本体１７の天面１５の吐出口１３を挟んだヒンジ部１９とは反対側の領域に、天面１５の表面積を増大させる張り出し部２６が設けられ、また上蓋１８には、この張り出し部２６と重ね合わされる張り出し蓋部２７が設けられている。本第４実施形態の吐出キャップ２５によっても、上記第１実施形態のキャップ１０と同様の作用効果が奏されると共に、張り出し部２６によって拭き取りの容易さを保持したまま天面１５の表面積を増大させて、吐出された内容物２０がキャップ本体１７の天面１５を超えて側面１６に付着するのをさらに効果的に抑制することが可能になる。
【００２２】
なお、本発明は上記各実施形態に限定されることなく種々の変更が可能である。例えば、本発明の吐出キャップは、可撓変形可能な容器の他、ポンプ装置によって内容物を吐出することが可能なポンプ容器やチューブ容器等、その他の種々の容器の口首部に取り付けて用いることもできる。また、容器本体に収容され、吐出キャップの吐出口を介して吐出される内容物は、歯磨き粉等の高粘度のものであっても良い。
【図面の簡単な説明】
【００２３】
【図１】本発明の好ましい第１実施形態に係る吐出キャップが取着された吐出容器の正面図である。
【図２】本発明の好ましい第１実施形態に係る吐出キャップの斜視図である。
【図３】本発明の好ましい第１実施形態に係る吐出キャップの断面図である。
【図４】（ａ）〜（ｃ）は、上蓋の天面内壁に設けられた環状突起部を吐出筒に嵌合させる状態を例示する吐出キャップの断面図である。
【図５】本発明の好ましい第１実施形態に係る吐出キャップの機能を説明する模式図である。
【図６】本発明の好ましい第２実施形態に係る吐出キャップの模式図である。
【図７】本発明の好ましい第３実施形態に係る吐出キャップの模式図である。
【図８】本発明の好ましい第４実施形態に係る吐出キャップの模式図である。
【図９】従来の吐出キャップによる課題を説明する模式図である。
【符号の説明】
【００２４】
１０，２１，２３，２５  吐出キャップ
１１  容器本体
１２  吐出容器
１３  吐出口
１４  吐出筒
１５  キャップ本体の天面
１６  キャップ本体の側面
１７  キャップ本体
１８  上蓋
１９  ヒンジ部
２０  内容物
２２  ヒンジ台
２４  湾曲凹部
２６  張り出し蓋
２７  張り出し蓋部
【図１】
0004756956.tif 000002
【図２】
0004756956.tif 000003
【図３】
0004756956.tif 000004
【図４】
0004756956.tif 000005
【図５】
0004756956.tif 000006
【図６】
0004756956.tif 000007
【図７】
0004756956.tif 000008
【図８】
0004756956.tif 000009
【図９】
0004756956.tif 000010